(57)【要約】【課題】例えば高齢者に対し目的地点までの歩行の安全を向上し、しかも眩しくなく目的地点にたどり着くことが可能な足元灯、トイレシステム及び誘導方法を提供する。【解決手段】キャビネット３０から斜め下方に向けて人ＵＳが移動する通路に向けて光を照射する足元灯を照明装置１０に設け、足元灯は、光源部と、この光源部からの光を所定形状の照射光として照射する透過部と、照射光の強度及び形状の少なくとも一方を制御する制御部とを備え、足元灯の制御部は、人ＵＳが着座した場合、光源部の光強度を下げるか、透過部の透過形状を小さくするか、の少なくともいずれか一方の変更によって通路に対する照度を低下させる。【選択図】図８
2020140858.tif 000002
【特許請求の範囲】
【請求項１】
斜め下方に向けて人が移動する通路に向けて光を照射する足元灯であって、
光源部と、
この光源部からの光を所定形状の照射光として照射する照射部と、
前記照射光の強度及び形状の少なくとも一方を制御する制御部と、
を備え、
前記制御部は、周囲照度に基づいて、前記照射光の強度及び形状の少なくとも一方を変更し、前記通路に対する照度を調整する
ことを特徴とする足元灯。
【請求項２】
前記制御部は、人の目の高さに基づいて、前記通路に対する照度を調整することを特徴とする請求項１に記載の足元灯。
【請求項３】
前記制御部は、人が着座した場合、前記照射光の強度を下げるか、前記照射光の照射範囲を小さくするか、の少なくともいずれか一方の変更によって前記通路に対する照度を低下させることを特徴とする請求項２に記載の足元灯。
【請求項４】
トイレ室に設けられ、人が着座可能な便座と、
前記便座の側方に設けられる請求項１乃至３のいずれか１項に記載の足元灯と、
を具備し、
前記足元灯は、前記トイレ室内の照度に基づいて、前記トイレ室の入口から便座までの通路に向けて斜めに光を照射する
ことを特徴とするトイレシステム。
【請求項５】
前記足元灯は、
前記トイレ室の入口から人が入ってきたとき、前記照射光を前記通路に対し照射し、
人が前記便座に着座したとき、前記照射光の強度を下げるか、前記照射光の照射範囲を小さくするか、の少なくともいずれか一方の変更によって前記通路に対する照度を下げ、
人が前記便座に着座した状態から立ち上がったとき、前記照射光の照度を上げ、
人が前記トイレ室の入口から退出したとき、前記照射光の照射を消灯することを特徴とする請求項４に記載のトイレシステム。
【請求項６】
斜め下方に向けて人が移動する通路に向けて光を照射する請求項１乃至３のいずれか１項に記載の足元灯を用いた誘導方法であって、
周囲照度及び人の目の高さに基づいて、前記照射光の強度及び形状の少なくとも一方を変更し、前記通路に対する照度を調整する
ことを特徴とする誘導方法。
【発明の詳細な説明】
【技術分野】
【０００１】
本発明は、例えば高齢者の安全な歩行を補助する足元灯、この足元灯を備えたトイレシステム、及び足元灯を用いる誘導方法に関するものである。
【背景技術】
【０００２】
周知のように、高齢者の転倒は、日常生活で比較的高い頻度で経験される事象である。この転倒に伴う外傷、骨折は機能に重大な影響を及ぼす。
【０００３】
高齢者の転倒を予防するために、床面の模様を利用して、歩行を誘導する方法が提案されている（例えば、非特許文献１参照）。
【先行技術文献】
【非特許文献】
【０００４】
【非特許文献１】ＣｉＮｉｉ論文−床面の状態が高齢者の歩行に与える影響（理学療法学Supplement  2009(0), E4P2278-E4P2278, 2010  公益社団法人  日本理学療法士協会）
【発明の概要】
【発明が解決しようとする課題】
【０００５】
ところで、日常生活に欠かせないことは、トイレ室の使用である。トイレ室内では、天井に固定された照明灯による単一照明である場合に、使用者や便器などの影になって手元や足元などが暗くなる。また、トイレ室内では、例えば窓からの採光で十分明るい昼間でも手元・足元の照明を無駄に点灯させてしまったり、夜中では照明がつくことで眩しすぎるように感じてしまうことがある。
このため、上記非特許文献１に記載される歩行を誘導する方法を用いたとしても、高齢者など手足がおぼつかない使用者は、照明により眩しすぎるように感じてしまうと、トイレ室の入口から便器までの歩行中に転倒する恐れがある。
【０００６】
さらに、トイレ室以外の施設であっても、高齢者など手足がおぼつかない使用者は、照明により眩しすぎるように感じてしまうと、歩行中に転倒する恐れがある。
【０００７】
本発明の目的は、例えば高齢者に対し目的地点までの歩行の安全を向上し、しかも眩しくなく目的地点にたどり着くことが可能な足元灯、トイレシステム及び誘導方法を提供することにある。
【課題を解決するための手段】
【０００８】
本発明の一態様である足元灯は、斜め下方に向けて人が移動する通路に向けて光を照射する足元灯であって、光源部と、この光源部からの光を所定形状の照射光として照射する照射部と、前記照射光の強度及び形状の少なくとも一方を制御する制御部と、を備え、前記制御部は、周囲照度に基づいて、前記照射光の強度及び形状の少なくとも一方を変更し、前記通路に対する照度を調整することを特徴とする。
【０００９】
上記の態様において、前記制御部は、人の目の高さに基づいて、前記通路に対する照度を調整する構成としてもよい。
【００１０】
上記の態様において、前記制御部は、人が着座した場合、前記照射光の強度を下げるか、前記照射光の照射範囲を小さくするか、の少なくともいずれか一方の変更によって前記通路に対する照度を低下させる構成としてもよい。
【発明の効果】
【００１１】
本発明の一態様である足元灯によれば、斜め下方に向けて人が移動する移動経路に向けて光を照射することにより、人や設備等の影により照射光が遮られることなく、しかも歩行中でも人の目に光が入ることがないので、例えば高齢者に対し、目的地点まで歩行を誘導でき、これにより眩しさを低減でき、歩行の安定性を向上できる。また、目的地点にて着座した歩行者に対する眩しさを低減させることが可能となる。
【図面の簡単な説明】
【００１２】
【図１】本発明の一実施形態に係る足元灯が設けられたトイレシステムの一部の斜視図である。
【図２】図１の足元灯が基板に取り付けられた状態の斜視図である。
【図３】図１の足元灯の内部構成を示す平面図である。
【図４】図１のトイレ装置を示す平面図及び斜視図である。
【図５】図１の足元灯により、周囲照度が明るいときに任意の形状で光を照射する様子を示す斜視図である。
【図６】図１の足元灯により、周囲照度が薄暗いときに任意の形状で光を照射する様子を示す斜視図である。
【図７】図１の足元灯により、周囲照度が暗いときに任意の形状で光を照射する様子を示す斜視図である。
【図８】図１の足元灯により、使用者の目とトイレ室の床面との間の距離に応じて、照射照度を変更する様子を示す平面図である。
【図９】図４の制御部により、トイレ室の入口からトイレ装置まで歩行する際と、トイレ装置からトイレ室の入口まで歩行する際の光の照射手順を示すフローチャートである。
【発明を実施するための形態】
【００１３】
以下、本発明の一実施形態に係る足元灯を、図面を参照して説明する。なお、各図面中、同様の構成要素には同一符号を付して詳細な説明は適宜省略する。
【００１４】
図１は、一実施形態に係るトイレシステム１の一部の斜視図である。  
図１に示したように、本実施形態に係るトイレシステム１は、照明装置１０と、トイレ装置２０と、キャビネット３０と、を備える。これらの構成要素は、トイレ装置２０が配置されたトイレ室ＴＲの内部に設けられる。
【００１５】
なお、各実施形態の説明のために、「方向」を用いる。これらの「方向」は、全て、トイレ装置２０の便座に着座した使用者から見て前方を「前方」とし、便座に着座した使用者から見て右側方を「右側方」としている。
【００１６】
図１に示したように、トイレ装置２０は、トイレ室ＴＲの床面ＦＳ上に設置されている。あるいは、トイレ装置２０は、トイレ室ＴＲの側壁に、支柱によって支持されていてもよい。
【００１７】
図２は、一実施形態に係るトイレシステム１が有する照明装置１０の斜視図である。
照明装置１０は、図２に示すように、３つの足元灯１１ａ，１１ｂ，１１ｃと、これら足元灯１１ａ，１１ｂ，１１ｃを支持する基板１２と、を備えている。
【００１８】
基板１２は、略長方形の板状に形成されており、一方の面１２ａには３つの支持部１２ｂ１，１２ｂ２，１２ｂ３が取り付けられている。これら支持部１２ｂ１，１２ｂ２，１２ｂ３は、略Ｌ字状の板状に形成されており、一方の端部は基板１２の一方の面１２ａにネジ等により取り付けられる。支持部１２ｂ１，１２ｂ２，１２ｂ３の他方の端部は、基板１２から上方に起立し、足元灯１１ａ，１１ｂ，１１ｃを取り付けるための２つのネジ穴が形成されている。２つのネジ穴の一方（図２では、右側方側）は、足元灯１１ａ，１１ｂ，１１ｃが他方のネジ穴部分を軸として回動自在となるように、長孔状に形成されている。なお、足元灯１１ａは支持部１２ｂ１に取り付けられ、足元灯１１ｂは支持部１２ｂ２に取り付けられ、足元灯１１ｃは支持部１２ｂ３に取り付けられる。基板１２の他方の面は、キャビネット３０に取り付けられる。さらに、基板１２の他方の面には、電源供給部（図示せず）と電気的に接続するための接続部（図示せず）が設けられている。
【００１９】
足元灯１１ａ，１１ｂ，１１ｃは、支持部１２ｂ１，１２ｂ２，１２ｂ３に取り付けられることで、例えば支持部１２ｂ１，１２ｂ２，１２ｂ３に形成された回路パターン（図示せず）もしくは配線等を介して電源供給部と電気的に接続可能となる。また、足元灯１１ａ，１１ｂ，１１ｃは、基板１２の長手方向（図２では、前方−後方を示す矢印方向に対応）に距離を開けて並べられ、トイレ室ＴＲの床面ＦＳに向けて光を照射するように基板１２の支持部１２ｂ１，１２ｂ２，１２ｂ３に支持されている。ここで、キャビネット３０に対する基板１２の取り付け位置が、トイレ装置２０の便座に着座した使用者の右側方である場合に、足元灯１１ａ，１１ｂ，１１ｃは、トイレ装置２０の便座に着座した使用者の足元よりトイレ室ＴＲの入口側に向けて光を照射するように基板１２の支持部１２ｂ１，１２ｂ２，１２ｂ３に支持されている。
【００２０】
足元灯１１ａ，１１ｂ，１１ｃは、ケース１３内に、ＬＥＤ（Light Emitting Diode）基板１４、凸レンズ１５、マスキング部１６を保持している。なお、ＬＥＤ基板１４が「光源部」、凸レンズ１５、マスキング部１６が「照射部」にそれぞれ対応する。また、図２において、ＬＥＤ基板１４、凸レンズ１５、マスキング部１６は、足元灯１１ｂに収容されていることのみを図示する。さらに、足元灯１１ａ，１１ｂ，１１ｃは、「制御部」に対応する照射制御部１７を備えている。
【００２１】
凸レンズ１５及びマスキング部１６は、ＬＥＤ基板１４からの光を任意形状の照射光として照射するものである。照射制御部１７は、トイレ室ＴＲ内に設けられる照度センサー（図示せず）によって検出される周囲照度に基づいて、ＬＥＤ基板１４の光強度、凸レンズ１５及びマスキング部１６による透過形状を変更して、照射光の照度を調整するものである。
【００２２】
キャビネット３０は、トイレ室ＴＲの側壁ＳＷに取り付けられている。キャビネット３０は、内部に空間を有し、この内部空間に備品を収納可能に構成されている。キャビネット３０の内部の底面（図示せず）には、照明装置１０が取り付けられる。また、キャビネット３０は、トイレ室ＴＲの床面ＦＳと離間しており、キャビネット３０と床面ＦＳとの間には空間が形成されている。
【００２３】
さらに、キャビネット３０の内部の底面には、基板１２の取り付け位置に、足元灯１１ａ，１１ｂ，１１ｃから照射される光をトイレ室ＴＲの床面ＦＳに照射するための孔部（図示せず）もしくは透明な透過部（図示せず）が設けられる。これにより、足元灯１１ａ，１１ｂ，１１ｃは、それぞれ支持部１２ｂ１，１２ｂ２，１２ｂ３に支持された状態で、人の手により、ケース１３の後方が押し上げられたり、押し下げられたりすることで、トイレ室ＴＲの入口からトイレ装置２０までの間に光を照射できるように調整される。なお、照明装置１０は、キャビネット３０の下、つまり、使用者の目線が入らない位置に取り付けられてもよい。
【００２４】
キャビネット３０の上面は、平滑化された平面であり、カウンター３１になっている。カウンター３１はトイレ室ＴＲの側壁ＳＷに沿って延びており、カウンター３１の上には、装飾品を載置したり、トイレ室ＴＲの使用者が小物を置いたりできるように構成されている。
【００２５】
足元灯１１ａ，１１ｂ，１１ｃは、図３に示すように、ＬＥＤ基板１４と、ＬＥＤ基板１４の光軸上に配置される凸レンズ１５ａ，１５ｂ、マスキング部１６とから構成されている。ＬＥＤ基板１４から発生される光は、まず凸レンズ１５ｂによって凸レンズ１５ａ側へ導かれる。この凸レンズ１５ｂから出射された光は、マスキング部１６を介して凸レンズ１５ａによってトイレ室ＴＲの床面ＦＳへ導かれる。マスキング部１６は、凸レンズ１５ｂから出射した光を、投影する図形に絞って透過することにより、トイレ室ＴＲの床面ＦＳに図形を投影する。なお、マスキング部１６は、透過部であってもよいし、スクリーンであってもよい。
【００２６】
足元灯１１ａから出射した光は、トイレ室ＴＲの入口からトイレ装置２０までの使用者の移動経路において、入口から一部の領域を照射する。一方、足元灯１１ｂから出射した光は、移動経路において、足元灯１１ａで照射されなかった領域を含む領域を照射する。さらに、足元灯１１ｃから出射した光は、移動経路において、足元灯１１ａ，１１ｂで照射されなかった領域を含む領域を照射する。これら足元灯１１ａ，１１ｂ，１１ｃにより照射する領域は、予め定められた領域であり、凸レンズ１５ａ，１５ｂや照明装置１０をキャビネット３０に取り付ける位置及び角度により調整することができる。例えば、１つの足元灯１１ａにより移動経路を照射する場合には、焦点距離が長い凸レンズ１５ａを使用する。
【００２７】
次に、トイレ装置２０について説明する。  
図４（ａ）は、トイレ装置２０の平面図であり、図４（ｂ）は、トイレ装置２０の斜視図である。
【００２８】
トイレ装置２０は、便器２１と、便座２２と、便蓋２３と、本体部２４と、を有する。便座２２は、便器２１の上に設けられている。便蓋２３は、便器２１の上に、便座２２を覆うように設けられている。本体部２４は、便器２１の後方上部に設けられている。便座２２及び便蓋２３は、本体部２４によって回動可能に軸支されている。
【００２９】
本体部２４は、制御部２５を有する。制御部２５は、トイレ装置２０やトイレ室ＴＲ内に設けられた他の構成要素の動作を制御する。本体部２４は、図４（ａ）に示したように、人体検知センサ２７と、着座検知センサ２８と、をさらに有していてもよい。人体検知センサ２７は、例えば、赤外線センサやマイクロ波センサなどであり、トイレ室ＴＲへの使用者の入出を検出する。着座検知センサ２８は、例えば、赤外線を用いた測距センサであり、便座２２への使用者の着座を検出する。
【００３０】
本体部２４が人体検知センサ２７及び着座検知センサ２８を有する場合、これらのセンサは、その検出結果を制御部２５に送信する。制御部２５は、人体検知センサ２７及び着座検知センサ２８から送信された検出結果に基づき、トイレ室ＴＲ内に設けられた各構成要素の動作を制御することができる。
【００３１】
次に、周囲照度に基づいて、足元灯１１ａ，１１ｂ，１１ｃにより照射される光の範囲及び強度について図５、図６及び図７を参照して説明する。
【００３２】
使用者ＵＳがトイレ室ＴＲの入口に入ったときに、照度センサー（図示せず）によって検出された照度Ｓ０が照射制御部１７に取り込まれ、予め基準値として設定された要求照度値Ｓ１、Ｓ２と比較される。なお、要求照度値Ｓ１は、要求照度値Ｓ２より大きい値とする。
【００３３】
ここで、検出照度Ｓ０が要求照度値Ｓ１を超えるとき（昼間などでトイレ室ＴＲ内が十分に明るいとき）、照射制御部１７は、図５に示すように、ＬＥＤ基板１４の光強度を弱くし、マスキング部１６を制御して照射範囲を小さくすることで、照射照度Ｐ１に変更する。
【００３４】
一方、検出照度Ｓ０が要求照度値Ｓ１と要求照度値Ｓ２との間にあるとき（トイレ室ＴＲ内が薄暗いとき）、照射制御部１７は、図６に示すように、ＬＥＤ基板１４の光強度を照射照度Ｐ１のときより強くし、マスキング部１６を制御して照射範囲を照射照度Ｐ１のときより広くすることで、照射照度Ｐ２に変更する。
【００３５】
また、検出照度Ｓ０が要求照度値Ｓ２を下回るとき（トイレ室ＴＲ内が暗いとき）、照射制御部１７は、図７に示すように、ＬＥＤ基板１４の光強度を照射照度Ｐ２のときより強くし、マスキング部１６を制御して照射範囲を照射照度Ｐ２のときより広くすることで、照射照度Ｐ３に変更する。
従って、窓があるトイレ室ＴＲで昼間などトイレ室ＴＲ内が明るい時に、光の照射照度を低減することができる。
【００３６】
なお、照射制御部１７は、ＬＥＤ基板１４の光強度を制御するのみでもよく、マスキング部１６を制御して照射範囲を制御するのみでもよい。
【００３７】
次に、使用者ＵＳが、トイレ室ＴＲの入口からトイレ装置２０までの歩行経路を歩行するとき、トイレ装置２０で着座し、立ち上がるときに、照射照度を変更する動作について、図８を参照して説明する。このとき、制御部２４は、図９に示す制御手順を実行する。
【００３８】
ステップＳＴ８ａでは、制御部２４は人体検知センサ２７によってトイレ室ＴＲ内の使用者ＵＳの検出を行い、トイレ室ＴＲ内に人がいない時に（Ｎｏ）、無駄に照明を付けないようになっている。
【００３９】
ステップＳＴ８ａにおいて、図８（Ａ）に示すように、人体検知センサ２７によって使用者ＵＳがトイレ室ＴＲの入口に入ったことが検出されると（Ｙｅｓ）、制御部２４は足元灯１１ａ，１１ｂ，１１ｃの照射制御部１７を制御して使用者ＵＳの足元に略楕円形の光を照射する（ステップＳＴ８ｂ）。
【００４０】
続いて、制御部２４は、着座検知センサ２８により、便座２２へ使用者ＵＳが着座したか否かの判断を行う（ステップＳＴ８ｃ）。まだ、便座２２へ使用者ＵＳが着座していなければ（Ｎｏ）、制御部２４は、上記ステップＳＴ８ｂの処理を続行する。
【００４１】
一方、図８（Ｂ）に示すように、着座検知センサ２８により、便座２２へ使用者ＵＳが着座したことが検出された場合（Ｙｅｓ）、制御部２４は、足元灯１１ａ，１１ｂ，１１ｃの照射制御部１７を制御してＬＥＤ基板１４の光強度を低減し、凸レンズ１５及びマスキング部１６による透過形状を小さくすることで、照射範囲を低減し、暗くする（ステップＳＴ８ｄ）。
【００４２】
続いて、制御部２４は、着座検知センサ２８により、便座２２への着座状態からの立ち上がりを検出したか否かの判断を行う（ステップＳＴ８ｅ）。
【００４３】
ここで、図８（Ｃ）に示すように、着座検知センサ２８により、便座２２への着座状態からの立ち上がりを検出した場合に（Ｙｅｓ）、制御部２４は、足元灯１１ａ，１１ｂ，１１ｃの照射制御部１７を制御してＬＥＤ基板１４の光強度を上げ、凸レンズ１５及びマスキング部１６による透過形状を大きくすることで、床面ＦＳに対する照度を元に戻す（ステップＳＴ８ｆ）。そして、制御部２４は、人体検知センサ２７もしくは他のセンサを用いて、使用者ＵＳがトイレ室ＴＲから退出したか否かの判断を行い（ステップＳＴ８ｇ）、使用者ＵＳがまだトイレ室ＴＲから退出していない場合（Ｎｏ）、足元灯１１ａ，１１ｂ，１１ｃのＬＥＤ基板１４の光強度、凸レンズ１５及びマスキング部１６による透過形状をそのままとする。
【００４４】
一方、ステップＳＴ８ｇにおいて、人体検知センサ２７もしくは他のセンサによって、使用者ＵＳがトイレ室ＴＲから退出したことが検出された場合（Ｙｅｓ）、制御部２４は足元灯１１ａ，１１ｂ，１１ｃの駆動を停止し、照射光の照射を消灯する（ステップＳＴ８ｈ）。
【００４５】
なお、上記制御手順において、照射制御部１７は、ＬＥＤ基板１４の光強度を制御するのみでもよく、マスキング部１６を制御して照射範囲を制御するのみでもよい。
【００４６】
以上のように、上記実施形態によれば、キャビネット３０の下方に設けられる足元灯１１ａ，１１ｂ，１１ｃを用いて、トイレ室ＴＲの入口からトイレ装置２０までの移動経路に向けて斜めに光を照射することにより、使用者ＵＳや設備等の影により照射光が遮られることなく、しかも歩行中でも使用者ＵＳの目に光が入ることがないので、例えば高齢者に対し、トイレ装置２０まで歩行を誘導でき、これにより眩しさを低減でき、歩行の安定性を向上できる。また、トイレ装置２０にて着座した使用者ＵＳに対する眩しさを低減させることが可能となる。
【００４７】
また、上記実施形態では、照射制御部１７にて、照度センサにより検出される周囲照度に基づいて、照射照度を変更することで、周囲照度が明るいときには照射照度を弱くし、一方周囲照度が暗いときには照射照度を強くするというように、周囲照度ごとに最適な照射照度に調整することができる。
【００４８】
さらに、上記実施形態では、使用者ＵＳが歩行しているときには照射照度を強くし、一方使用者ＵＳがトイレ装置２０の便座２２に着座しているときには照射照度を弱くするというように、使用者ＵＳの目から床までの距離ごとに最適な照射照度に調整することができる。
【００４９】
（その他の実施形態）  
なお、本発明は、上記実施形態に限定されるものではない。上記実施形態では、トイレシステム１を例にとって説明したが、トイレシステム以外に、ショッピングモール、病院、福祉施設等にも適用可能である。一例として、福祉施設で適用する場合、福祉施設の玄関を出発地点とし、ソファー等が配置されている休憩室を目的地点として、廊下を歩行する歩行者の目より低い位置に足元灯を配置し、足元灯により廊下の床面へ斜め下方向に、光を照射する。このようにすると、歩行者は、目的地点まで安全に辿り着くことができる。
【００５０】
また、上記実施形態では、使用者がトイレ装置の便座に着座したときに、移動経路に到達する光の照射照度を下げ、使用者が便座に着座した状態から立ち上がったときに、移動経路に到達する光の照射照度を元の照射照度に戻す例について説明したが、使用者の身長に基づいて、移動経路に到達する光の照射照度を調整するようにしてもよい。この場合、トイレ室に設けられる使用者の身長を検出するセンサを使用する。このようにすれば、使用者ごとに最適な光の照射照度に調整できる。
【００５１】
また、アパートやマンションなどではトイレ室に窓が設けられていない場合が多く、使用者が昼間に外から帰ってきてトイレ室に入ると眩しく感じることがある。制御部２４にはタイマー機能が設置されているため、タイマー機能を使うことで、トイレ室に窓が設けられていなくても、昼間に光の照射照度を下げることができる。
【００５２】
以上、説明した実施形態は本発明の代表的な形態を示したに過ぎず、本発明は、当該実施形態に限定されるものではない。即ち、当業者は、従来公知の知見に従い、本発明の骨子を逸脱しない範囲で種々変形して実施することができる。かかる変形によってもなお本発明の足元灯の構成を具備する限り、勿論、本発明の範囲に含まれるものである。
【符号の説明】
【００５３】
１                            トイレシステム
１０                          照明装置
１１ａ，１１ｂ，１１ｃ        足元灯
１２                          基板
１２ａ                        一方の面
１２ｂ１，１２ｂ２，１２ｂ３  支持部
１３                          ケース
１４                          ＬＥＤ基板
１５，１５ａ，１５ｂ          凸レンズ
１６                          マスキング部
１７                          照射制御部
２０                          トイレ装置
２１                          便器
２２                          便座
２３                          便蓋
２４                          本体部
２５                          制御部
２７                          人体検知センサ
２８                          着座検知センサ
３０                          キャビネット
３１                          カウンター
ＴＲ                          トイレ室
ＳＷ                          側壁
ＦＳ                          床面
Ｐ１〜Ｐ３                    照射照度
【図１】
2020140858.tif 000003
【図２】
2020140858.tif 000004
【図３】
2020140858.tif 000005
【図４】
2020140858.tif 000006
【図５】
2020140858.tif 000007
【図６】
2020140858.tif 000008
【図７】
2020140858.tif 000009
【図８】
2020140858.tif 000010
【図９】
2020140858.tif 000011